(57)【要約】【課題】  情報の欠落なく画像のログデータを消去できる画像処理装置、画像処理方法及び画像処理プログラムを提供する。【解決手段】  ログ機能制御部３４によりログデータ生成部３２のログデータ生成機能が無効にされると、確認部３６が、記憶部４２に画像のログデータが記憶されているか否かを確認し、記憶されている場合には、確認部３６が当該画像のログデータに含まれる管理情報をサーバ３０に送信して当該画像のログデータの消去の可否を確認する。上記管理情報を受信したサーバ３０は、当該画像のログデータが格納されている場合に、消去可信号を生成し、画像処理装置に送信する。確認部３６が、サーバ３０から受信した上記消去可信号により画像のログデータを消去可と判断すると、ログ消去部４０が記憶部４２に記憶された当該画像のログデータを消去する。【選択図】        図２
2008060754.tif 000002
【特許請求の範囲】
【請求項１】
画像の出力を伴う画像処理を実行する画像処理手段と、
前記画像処理の実行に関連して画像のログデータを生成するログデータ生成手段と、
前記画像のログデータを記憶する記憶手段と、
前記画像のログデータを外部装置に転送する転送手段と、
前記画像のログデータの記憶機能が無効と設定され、かつ前記記憶手段に記憶された画像のログデータの消去可能性を前記外部装置に確認して消去可であった場合に、前記記憶手段に記憶された画像のログデータを消去するログ消去手段と、
を備えることを特徴とする画像処理装置。
【請求項２】
消去候補である画像のログデータの管理情報を前記外部装置に送信して前記画像のログデータの消去可能性を確認する確認手段を更に備えた請求項１記載の画像処理装置。
【請求項３】
消去候補である画像のログデータを前記外部装置に送信して前記画像のログデータの消去可能性を確認する確認手段を更に備えた請求項１記載の画像処理装置。
【請求項４】
前記ログ消去手段は、前記外部装置から受け取った消去処理の手順が記述された指示書に従って前記画像のログデータの消去処理を実行する請求項２または３記載の画像処理装置。
【請求項５】
前記ログ消去手段による消去処理中に電源断の指示入力があった場合に電源断処理を遅延させる電源制御手段を更に備えた請求項１から請求項４のいずれか一項記載の画像処理装置。
【請求項６】
前記電源制御手段は、前記電源断処理の遅延が所定時間に達したら、前記ログ消去手段による消去処理が未完了でも前記電源断処理の遅延を中止する請求項５記載の画像処理装置。
【請求項７】
前記ログ消去手段は、電源投入の指示に対応して消去処理が未完了のログデータのうち管理情報を消去し、前記管理情報の消去が完了した後に指示入力手段による指示入力が可能な状態に移行させ、その後画像処理装置が所定の状態になったときに画像データを消去する請求項６記載の画像処理装置。
【請求項８】
前記確認手段は、前記外部装置から消去不可の連絡を受けた場合に、消去候補である画像のログデータを前記外部装置に送信して前記画像のログデータの消去可能性を確認する請求項１から請求項３のいずれか一項記載の画像処理装置。
【請求項９】
画像の出力を伴う画像処理を実行する画像処理方法であって、
前記画像処理の実行に関連して画像のログデータを生成するステップと、
前記画像のログデータを記憶するステップと、
前記画像のログデータを外部装置に転送するステップと、
前記画像のログデータの記憶機能の有効、無効を設定するステップと、
前記外部装置に前記記憶された画像のログデータの消去可能性を確認するステップと、
前記画像のログデータの記憶機能が無効と設定され、かつ前記画像のログデータが消去可であることが確認された場合に、前記記憶された画像のログデータを消去するステップと、
を備えることを特徴とする画像処理方法。
【請求項１０】
画像の出力を伴う画像処理を実行する画像処理装置のコンピュータを制御するプログラムであって、
前記画像処理の実行に関連して画像のログデータを生成し、
前記画像のログデータを記憶し、
前記画像のログデータを外部装置に転送し、
前記画像のログデータの記憶機能の有効、無効を設定し、
前記外部装置に前記記憶された画像のログデータの消去可能性を確認し、
前記画像のログデータの記憶機能が無効と設定され、かつ前記画像のログデータが消去可であることが確認された場合に、前記記憶された画像のログデータを消去する処理をコンピュータに実行させることを特徴とするプログラム。
【発明の詳細な説明】
【技術分野】
【０００１】
本発明は、画像データを含むジョブを出力する画像処理装置、画像処理方法及び画像処理プログラムにおけるセキュリティの改良に関する。
【背景技術】
【０００２】
従来より、コピー機、プリンタ、ファクシミリ装置等の画像処理装置において、画像データを含むジョブを出力した際に、画像のログデータを生成して画像処理装置自身に格納するとともに、該画像のログデータをサーバ等の外部機器に送り、当該外部機器にも蓄積する構成が提案されている。このような画像処理装置では、画像のログデータの生成機能を無効として使用しない場合もあり、このときには情報漏洩防止等の理由で画像処理装置自身に格納した画像のログデータが消去される。
【０００３】
例えば、下記特許文献１には、所定情報本体を記憶する第１格納手段と、所定情報の管理情報を記憶する第２格納手段ととを備え、電源断または電源投入の指示があったときに、管理情報に基づいて所定情報を抽出して消去する情報処理装置が開示されている。
【特許文献１】特開２００５−１１７３７７号公報
【発明の開示】
【発明が解決しようとする課題】
【０００４】
しかし、上記従来の技術においては、外部機器に所定情報本体を格納する構成となっていないので、外部機器に画像のログデータを格納するシステムにおいて、サーバに格納されていない画像のログデータを画像処理装置側で消去した際に発生する情報の欠落に対処できないという問題があった。
【０００５】
本発明は、上記従来の課題に鑑みなされたものであり、その目的は、情報の欠落なく画像のログデータを消去できる画像処理装置、画像処理方法及び画像処理プログラムを提供することにある。
【課題を解決するための手段】
【０００６】
上記目的を達成するために、請求項１記載の画像処理装置の発明は、画像の出力を伴う画像処理を実行する画像処理手段と、前記画像処理の実行に関連して画像のログデータを生成するログデータ生成手段と、前記画像のログデータを記憶する記憶手段と、前記画像のログデータを外部装置に転送する転送手段と、前記画像のログデータの記憶機能が無効と設定され、かつ前記記憶手段に記憶された画像のログデータの消去可能性を前記外部装置に確認して消去可であった場合に、前記記憶手段に記憶された画像のログデータを消去するログ消去手段と、を備えることを特徴とする。
【０００７】
また、請求項２記載の発明は、消去候補である画像のログデータの管理情報を前記外部装置に送信して前記画像のログデータの消去可能性を確認する確認手段を更に備えた請求項１記載の画像処理装置。
【０００８】
また、請求項３記載の発明は、消去候補である画像のログデータを前記外部装置に送信して前記画像のログデータの消去可能性を確認する確認手段を更に備えた請求項１記載の画像処理装置。
【０００９】
また、請求項４記載の発明は、前記ログ消去手段が、前記外部装置から受け取った消去処理の手順が記述された指示書に従って前記画像のログデータの消去処理を実行する請求項２または３記載の画像処理装置。
【００１０】
また、請求項５記載の発明は、前記ログ消去手段による消去処理中に電源断の指示入力があった場合に電源断処理を遅延させる電源制御手段を更に備えた請求項１から請求項４のいずれか一項記載の画像処理装置。
【００１１】
また、請求項６記載の発明は、前記電源制御手段が、前記電源断処理の遅延が所定時間に達したら、前記ログ消去手段による消去処理が未完了でも前記電源断処理の遅延を中止する請求項５記載の画像処理装置。
【００１２】
また、請求項７記載の発明は、前記ログ消去手段が、電源投入の指示に対応して消去処理が未完了のログデータのうち管理情報を消去し、前記管理情報の消去が完了した後に指示入力手段による指示入力が可能な状態に移行させ、その後画像処理装置が所定の状態になったときに画像データを消去する請求項６記載の画像処理装置。
【００１３】
また、請求項８記載の発明は、前記確認手段が、前記外部装置から消去不可の連絡を受けた場合に、消去候補である画像のログデータを前記外部装置に送信して前記画像のログデータの消去可能性を確認する請求項１から請求項３のいずれか一項記載の画像処理装置。
【００１４】
また、請求項９記載の画像の出力を伴う画像処理を実行する画像処理方法の発明は、前記画像処理の実行に関連して画像のログデータを生成するステップと、前記画像のログデータを記憶するステップと、前記画像のログデータを外部装置に転送するステップと、前記画像のログデータの記憶機能の有効、無効を設定するステップと、前記外部装置に前記記憶された画像のログデータの消去可能性を確認するステップと、前記画像のログデータの記憶機能が無効と設定され、かつ前記画像のログデータが消去可であることが確認された場合に、前記記憶された画像のログデータを消去するステップと、を備えることを特徴とする。
【００１５】
また、請求項１０記載の画像の出力を伴う画像処理を実行する画像処理装置のコンピュータを制御するプログラムの発明は、前記画像処理の実行に関連して画像のログデータを生成し、前記画像のログデータを記憶し、前記画像のログデータを外部装置に転送し、前記画像のログデータの記憶機能の有効、無効を設定し、前記外部装置に前記記憶された画像のログデータの消去可能性を確認し、前記画像のログデータの記憶機能が無効と設定され、かつ前記画像のログデータが消去可であることが確認された場合に、前記記憶された画像のログデータを消去する処理をコンピュータに実行させることを特徴とする。
【発明を実施するための最良の形態】
【００１６】
以下、本発明を実施するための最良の形態（以下、実施形態という）を、図面に従って説明する。
【００１７】
図１には、本発明にかかる画像処理装置の構成例のブロック図が示される。図１において、画像処理装置は、画像取得部１０、画像出力部１２、入力操作部１４、表示部１６、通信部１８、ＣＰＵ（中央処理装置）２０、ＲＯＭ（リードオンリーメモリ）２２、ＲＡＭ（ランダムアクセスメモリ）２４及び蓄積装置２６を含んで構成されている。
【００１８】
画像取得部１０は、スキャナ等により構成され、画像データを取得する。なお、外部の装置で生成された画像データを後述する通信部１８により受信して画像取得部１０が受け取る構成としてもよい。
【００１９】
画像出力部１２は、プリンタエンジン等を含む印刷装置、ファクシミリ送信装置等で構成され、印刷またはファクシミリ送信等により上記画像データを出力する。
【００２０】
入力操作部１４は、キーボード、タッチパネル等で構成され、ユーザが指示情報等を入力するために使用する。
【００２１】
表示部１６は、例えば液晶ディスプレイ（ＬＣＤ）等で構成され、上記画像データの内容、画像処理装置の各種状態等を表示する。
【００２２】
通信部１８は、公知の方法によりネットワーク２８等の通信手段を介して外部装置であるサーバ３０と通信し、画像のログデータ等をサーバ３０に送信し、及びサーバ３０から後述する画像のログデータの消去許可信号または消去不許可信号を受信する処理等を行う。
【００２３】
ＣＰＵ２０は、ＲＯＭ２２に格納されたプログラムを実行し、画像処理装置の動作を制御する。
【００２４】
ＲＯＭ２２は、読み出し専用の不揮発性メモリであり、ＣＰＵ２０等が実行するプログラムやデータ等を記憶する。
【００２５】
ＲＡＭ２４は、ＣＰＵ２０の作業用メモリ（主記憶装置）として機能する読み書き可能な揮発性メモリである。
【００２６】
蓄積装置２６は、ハードディスクドライブ等で構成された外部記憶装置であり、画像データ及び画像のログデータ等を記憶する。
【００２７】
図２には、上記図１に示された画像処理装置の各機能を表す機能ブロック図が示される。図２において、画像処理装置は、ログデータ生成部３２、ログ機能制御部３４、確認部３６、転送部３８、ログ消去部４０、記憶部４２、電源制御部４４及び出力制御部４６の各機能を含んで構成されている。
【００２８】
ログデータ生成部３２は、ＣＰＵ２０により実現され、ジョブの実行として画像出力部１２により画像データを出力したときに、当該画像処理の実行に関連して画像のログデータを生成する。このログデータには、画像データのほか出力枚数、日付、操作者名、ジョブの識別番号等の管理情報が含まれる。
【００２９】
ログ機能制御部３４は、ＣＰＵ２０により実現され、ログデータ生成部３２が画像のログデータを生成する機能の有効、無効を制御する。「有効」とした場合には、ログデータ生成部３２が画像のログデータを生成し、後述する記憶部４２に記憶する。また、「無効」とした場合には、画像のログデータを生成せず、記憶部４２におけるログデータの記憶機能も無効とする。この有効、無効の制御は、例えば入力操作部１４からユーザが入力する指示情報に基づいて行われる。      
【００３０】
確認部３６は、通信部１８及びＣＰＵ２０により実現され、ログ機能制御部３４により画像のログデータの生成機能及び記憶部４２におけるログデータの記憶機能が無効とされた場合に、記憶部４２に画像のログデータが記憶されているか否かを確認する。ログデータが記憶されている場合には、当該画像のログデータの消去可能性をサーバ３０に確認する。サーバ３０では、受信した画像のログデータに含まれる画像データが、サーバ３０に格納されているか否かを確認し、格納されている場合に消去許可信号を、格納されていない場合に消去不許可信号を生成して画像処理装置に送信する。確認部３６は、受信した上記消去許可信号または消去不許可信号に基づいて、画像のログデータが消去可であるか不可であるかの判断を行う。
【００３１】
転送部３８は、通信部１８及びＣＰＵ２０により実現され、ログデータ生成部３２が生成した画像のログデータをサーバ３０に転送する。
【００３２】
ログ消去部４０は、ＣＰＵ２０により実現され、記憶部４２におけるログデータの記憶機能が無効と設定され、かつ上記確認部３６が画像のログデータを消去可であると判断した場合に、記憶部４２に記憶された当該画像のログデータを消去する。
【００３３】
記憶部４２は、ＣＰＵ２０及び蓄積装置２６により実現され、画像処理の実行に関連して画像のログデータを記憶する。
【００３４】
電源制御部４４は、ＣＰＵ２０により実現され、画像処理装置の電源の投入、切断を制御する。この電源の投入、切断は、ユーザによる入力操作部１４からの指示入力に基づいて行われるが、ログ消去部４０による消去動作中の場合には、後述する所定の手順に従って行われる。
【００３５】
出力制御部４６は、画像出力部１２及びＣＰＵ２０により実現され、画像取得部１０が取得した画像データの出力を伴う画像処理を実行する。この出力制御部４６が、本発明の画像処理手段として機能する。
【００３６】
図３には、上記画像処理装置の動作例のフローが示される。図３は、画像処理装置がサーバに画像のログデータの管理情報を送信して画像のログデータの消去の可否を問い合わせる場合の動作例である。
【００３７】
図３において、ログ機能制御部３４がログデータ生成部３２のログデータ生成機能を無効とすると（Ｓ１０１）、出力制御部４６による画像データの出力処理後にログデータ生成部３２が画像のログデータを生成する動作が停止される。また、あわせて記憶部４２におけるログデータの記憶機能も無効とされる。
【００３８】
次に、確認部３６が、記憶部４２に画像のログデータが記憶されているか否かを確認する（Ｓ１０２）。Ｓ１０２において、記憶部４２に画像のログデータが記憶されていない場合には、画像のログデータの消去動作を終了する。
【００３９】
一方、Ｓ１０２において、記憶部４２に画像のログデータが記憶されている場合には、確認部３６が、当該画像のログデータに含まれる管理情報を、ネットワーク２８を介してサーバ３０に送信して（Ｓ１０３）、その消去の可否を確認する（Ｓ１０４）。前述したように、この管理情報には、ジョブの識別番号等の画像のログデータを識別するための情報が含まれている。
【００４０】
上記管理情報を受信したサーバ３０は、ジョブの識別番号等に基づき、当該画像のログデータがサーバ３０に格納されているか否かを確認し、格納されている場合には、消去可信号を生成する。また、当該画像のログデータがサーバ３０に格納されていない場合には、消去不可信号を生成する。これらの消去可信号または消去不可信号は、ネットワーク２８を介して画像処理装置に送信する。
【００４１】
確認部３６は、サーバ３０から受信した上記消去可信号または消去不可信号に基づき、上記画像のログデータの消去の可否を判断する（Ｓ１０４）。
【００４２】
Ｓ１０４において消去可である場合は、ログ消去部４０が記憶部４２に記憶された当該画像のログデータを消去する（Ｓ１０５）。
【００４３】
一方、Ｓ１０４において消去不可である場合は、転送部３８が当該画像のログデータをサーバ３０に転送する（Ｓ１０６）。転送部３８は、転送後その旨を確認部３６に通知する。
【００４４】
確認部３６は、上記通知の有無を確認する（Ｓ１０７）。上記通知が有るまでは、Ｓ１０６からのステップを繰り返し、通知が有った場合は、ログ消去部４０が記憶部４２に記憶された当該画像のログデータを消去する（Ｓ１０５）。
【００４５】
以上の動作により、サーバ３０に該当する画像のログデータが格納されている場合のみ、画像処理装置側で当該画像のログデータの消去処理が実行されるので、情報の欠落なく画像のログデータを消去することができる。
【００４６】
図４には、上記画像処理装置の他の動作例のフローが示される。図４は、画像処理装置がサーバに画像のログデータを送信して画像のログデータの消去の可否を問い合わせる場合の動作例である。
【００４７】
図４において、ログ機能制御部３４がログデータ生成部３２のログデータ生成機能を無効とすると（Ｓ２０１）、出力制御部４６による画像データの出力処理後にログデータ生成部３２が画像のログデータを生成する動作が停止される。また、あわせて記憶部４２におけるログデータの記憶機能も無効とされる。
【００４８】
次に、確認部３６が、記憶部４２に画像のログデータが記憶されているか否かを確認する（Ｓ２０２）。Ｓ２０２において、記憶部４２に画像のログデータが記憶されていない場合には、画像のログデータの消去動作を終了する。
【００４９】
一方、Ｓ２０２において、記憶部４２に画像のログデータが記憶されている場合には、転送部３８が、当該画像のログデータをネットワーク２８を介してサーバ３０に転送する（Ｓ２０３）。
【００５０】
上記画像のログデータを受信したサーバ３０は、当該画像のログデータを格納し、消去可信号を生成する。また、当該画像のログデータの格納に失敗した場合には、消去不可信号を生成する。これらの消去可信号または消去不可信号は、ネットワーク２８を介して画像処理装置に送信する。
【００５１】
確認部３６は、サーバ３０から受信した上記消去可信号または消去不可信号に基づき、上記画像のログデータの消去の可否を判断する（Ｓ２０４）。
【００５２】
Ｓ２０４において消去可である場合は、ログ消去部４０が記憶部４２に記憶された当該画像のログデータを消去する（Ｓ２０５）。
【００５３】
一方、Ｓ２０４において消去不可である場合は、転送部３８が当該画像のログデータをサーバ３０に再転送し（Ｓ２０６）、Ｓ２０４のステップを繰り返す。
【００５４】
以上の動作によっても、サーバ３０に該当する画像のログデータが格納された場合のみ、画像処理装置側で当該画像のログデータの消去処理が実行されるので、情報の欠落なく画像のログデータを消去することができる。
【００５５】
図５には、上記画像処理装置のさらに他の動作例のフローが示される。図５は、画像処理装置がサーバに画像のログデータを送信して画像のログデータの消去の可否を問い合わせる場合の動作例である。
【００５６】
図５において、ログ機能制御部３４がログデータ生成部３２のログデータ生成機能を無効とすると（Ｓ３０１）、出力制御部４６による画像データの出力処理後にログデータ生成部３２が画像のログデータを生成する動作が停止される。また、あわせて記憶部４２におけるログデータの記憶機能も無効とされる。
【００５７】
次に、確認部３６が、記憶部４２に画像のログデータが記憶されているか否かを確認する（Ｓ３０２）。Ｓ３０２において、記憶部４２に画像のログデータが記憶されていない場合には、画像のログデータの消去動作を終了する。
【００５８】
一方、Ｓ３０２において、記憶部４２に画像のログデータが記憶されている場合には、転送部３８が、当該画像のログデータをネットワーク２８を介してサーバ３０に転送する（Ｓ３０３）。
【００５９】
上記画像のログデータを受信したサーバ３０は、当該画像のログデータを格納し、消去処理の手順を記載した指示書を作成する。また、当該画像のログデータの格納に失敗した場合には、画像のログデータを再転送する処理の手順を記載した指示書を作成する。ここで、指示書とは、画像処理装置を動作させるための手順が記載された書類であって、画像処理装置はその記載内容を解釈して、記載された手順に従って動作するように構成される。本実施形態では、これらの指示書は電子データとして画像処理装置に送信するのが好適である。
【００６０】
確認部３６は、サーバ３０から受信した上記指示書の内容を解釈し、画像のログデータの消去処理を記載した指示書であるか否かを判断する（Ｓ３０４）。
【００６１】
Ｓ３０４において指示書の内容が画像のログデータの消去処理である場合は、ログ消去部４０が記憶部４２に記憶された当該画像のログデータを消去する（Ｓ３０５）。
【００６２】
一方、Ｓ３０４において指示書の内容が画像のログデータを再転送する処理である場合は、転送部３８が当該画像のログデータをサーバ３０に再転送し（Ｓ３０６）、Ｓ３０４のステップを繰り返す。
【００６３】
以上の動作によっても、サーバ３０に該当する画像のログデータが格納された場合のみ、画像処理装置側で当該画像のログデータの消去処理が実行されるので、情報の欠落なく画像のログデータを消去することができる。
【００６４】
また、サーバ３０から指示書を受け取って、その内容に従って画像処理装置が動作するように構成しておけば、画像のログデータを消去する動作等、各動作毎にこれを実行するための特別の構成が不要となる。このため、画像処理装置の構成を簡略化することができる。
【００６５】
図６には、上記画像処理装置のさらに他の動作例のフローが示される。図６は、画像処理装置がサーバに画像のログデータの管理情報を送信して画像のログデータの消去の可否を問い合わせる場合の動作例である。
【００６６】
図６において、ログ機能制御部３４がログデータ生成部３２のログデータ生成機能を無効とすると（Ｓ３１１）、出力制御部４６による画像データの出力処理後にログデータ生成部３２が画像のログデータを生成する動作が停止される。また、あわせて記憶部４２におけるログデータの記憶機能も無効とされる。
【００６７】
次に、確認部３６が、記憶部４２に画像のログデータが記憶されているか否かを確認する（Ｓ３１２）。Ｓ３１２において、記憶部４２に画像のログデータが記憶されていない場合には、画像のログデータの消去動作を終了する。
【００６８】
一方、Ｓ３１２において、記憶部４２に画像のログデータが記憶されている場合には、確認部３６が、当該画像のログデータに含まれる管理情報を、ネットワーク２８を介してサーバ３０に送信する（Ｓ３１３）。
【００６９】
上記管理情報を受信したサーバ３０は、当該管理情報に含まれるジョブの識別番号等に基づき、当該画像のログデータがサーバ３０に格納されているか否かを確認し、格納されている場合には、消去処理の手順を記載した指示書を作成する。また、当該画像のログデータがサーバ３０に格納されていない場合には、画像のログデータを転送する処理の手順を記載した指示書を作成する。これらの指示書は電子データとして画像処理装置に送信される。
【００７０】
確認部３６は、サーバ３０から受信した上記指示書の内容を解釈し、画像のログデータの消去処理を記載した指示書であるか否かを判断する（Ｓ３１４）。
【００７１】
Ｓ３１４において指示書の内容が画像のログデータの消去処理である場合は、ログ消去部４０が記憶部４２に記憶された当該画像のログデータを消去する（Ｓ３１５）。
【００７２】
一方、Ｓ３１４において指示書の内容が画像のログデータを転送する処理である場合は、転送部３８が当該画像のログデータをサーバ３０に転送し（Ｓ３１６）、Ｓ３１４のステップを繰り返す。なお、この場合、サーバ３０は、転送された画像のログデータを格納し、消去処理の手順を記載した指示書を作成して画像処理装置に送信する。
【００７３】
以上の動作によっても、サーバ３０に該当する画像のログデータが格納された場合のみ、画像処理装置側で当該画像のログデータの消去処理が実行されるので、情報の欠落なく画像のログデータを消去することができる。
【００７４】
図７には、上記画像処理装置のさらに他の動作例のフローが示される。図７は、画像のログデータの消去処理中において画像処理装置の電源を制御するための動作例である。
【００７５】
図７において、ログ消去部４０による画像のログデータの消去処理中にユーザが入力操作部１４から画像処理装置の電源を切断する指示を入力すると（Ｓ４０１）、確認部３６が、記憶部４２に画像のログデータが記憶されているか否かを確認する（Ｓ４０２）。Ｓ４０２において、記憶部４２に画像のログデータが記憶されていない場合には、電源制御部４４が画像処理装置の電源を切断し（Ｓ４０３）、画像のログデータの消去動作を終了する。
【００７６】
一方、Ｓ４０２において、記憶部４２に画像のログデータが記憶されている場合には、ログ消去部４０が記憶部４２に記憶された当該画像のログデータの消去処理を続行する（Ｓ４０４）。また、電源制御部４４は、この消去処理中に、電源を切断する指示が入力されてから所定時間が経過したか否かを確認する（Ｓ４０５）。このＳ４０５のステップにより、電源断処理が所定時間遅延される。所定時間が経過した場合には、電源制御部４４は、消去処理が完了していなくても画像処理装置の電源を切断する（Ｓ４０３）。
【００７７】
以上の動作により、画像のログデータの消去処理の進行具合にかかわらず電源が切断されるので、長時間ユーザを待たせることを防止でき、画像処理装置の利便性を向上できる。なお、消去処理が途中である場合には、図８の動作により解決する。
【００７８】
図８には、上記画像処理装置のさらに他の動作例のフローが示される。図８は、消去処理が途中の状態で電源が切断された後、電源が投入された場合の動作例である。
【００７９】
図８において、ユーザが入力操作部１４から画像処理装置に電源を投入する指示を入力すると（Ｓ５０１）、確認部３６が、記憶部４２に画像のログデータが残っているか否かを確認する（Ｓ５０２）。
【００８０】
Ｓ５０２において、画像のログデータが残っている場合には、ログ消去部４０が記憶部４２に記憶された当該画像のログデータのうち、管理情報部分を消去する（Ｓ５０３）。その後、画像処理装置は指示入力が可能な状態に移行し、入力操作部１４を介したユーザによる指示入力が可能となる（Ｓ５０４）。この際、表示部１６に指示入力可である旨の表示を行うのが好適である。
【００８１】
一方、Ｓ５０２において、画像のログデータが残っていない場合には、直ちにＳ５０４に移行する。
【００８２】
次に、確認部３６は、記憶部４２に画像のログデータが残っているか否かを再度確認する（Ｓ５０５）。ここで、画像のログデータが残っている場合には、画像データの部分が残っていることを意味するので、ログ消去部４０がその画像データを消去し（Ｓ５０６）、画像のログデータの消去動作を終了する。消去動作は、本来の画像処理に影響を与えない状態に画像処理装置があるとき、たとえば蓄積装置２６がアクセスされていない状態が一定時間以上続いた場合などに行われることが好ましい。
【００８３】
一方、Ｓ５０５において、画像のログデータが残っていない場合には、直ちに画像のログデータの消去動作を終了する。
【００８４】
以上の動作により、前回の電源切断時に画像のログデータの消去処理が途中であっても、次回の電源投入時に消去できなかった画像のログデータを消去できる。
【００８５】
また、電源投入時には、まず管理情報を消去し、その後画像処理装置を指示入力可能状態に移行させるので、ユーザの待ち時間を短縮できる。なお、このように管理情報を消去すれば、画像データ部分の復元は不可能になるので、通常動作に移行しても画像データが漏洩することはない。
【図面の簡単な説明】
【００８６】
【図１】本発明にかかる画像処理装置の構成例のブロック図である。
【図２】本発明にかかる画像処理装置の各機能を表す機能ブロック図である。
【図３】本発明にかかる画像処理装置の動作例のフロー図である。
【図４】本発明にかかる画像処理装置の他の動作例のフロー図である。
【図５】本発明にかかる画像処理装置のさらに他の動作例のフロー図である。
【図６】本発明にかかる画像処理装置のさらに他の動作例のフロー図である。
【図７】本発明にかかる画像処理装置のさらに他の動作例のフロー図である。
【図８】本発明にかかる画像処理装置のさらに他の動作例のフロー図である。
【符号の説明】
【００８７】
１０  画像取得部、１２  画像出力部、１４  入力操作部、１６  表示部、１８  通信部、２０  ＣＰＵ、２２  ＲＯＭ、２４  ＲＡＭ、２６  蓄積装置、２８  ネットワーク、３０  サーバ  、３２  ログデータ生成部、３４  ログ機能制御部、３６  確認部、３８  転送部、４０  ログ消去部、４２  記憶部、４４  電源制御部、４６  出力制御部。
【図１】
2008060754.tif 000003
【図２】
2008060754.tif 000004
【図３】
2008060754.tif 000005
【図４】
2008060754.tif 000006
【図５】
2008060754.tif 000007
【図６】
2008060754.tif 000008
【図７】
2008060754.tif 000009
【図８】
2008060754.tif 000010